(57)【要約】【課題】障子の縦框下部と下枠上のレールとの間における気密性能の向上が図れると共にレールや戸車の耐久性の向上が図れる建具を提供する。【解決手段】建物の開口部に設けられる上枠２ａ、下枠２ｂ及び左右の縦枠２ｃ，２ｄからなる枠体２と、該枠体２内に左右方向に開閉移動自在に設けられた障子３，４とを備え、前記障子３，４は上框５ａ、下框５ｂ及び左右の縦框５ｃ，５ｄを有し、前記下框５ｂには下枠２ｂ上のレール７ａ，７ｂに摺接する気密材１１が長手方向に設けられ、前記縦框５ｃ，５ｄの下部には前記レール７ａ，７ｂに対応した振れ止め部材１２が設けられ、該振れ止め部材１２に前記レール７ａ，７ｂの上部７ｈに摺接する毛状気密材１５を前記下框５ｂの気密材１１と長手方向に連なるように設けている。【選択図】          図５
2004257136.tif 000002
【特許請求の範囲】
【請求項１】
建物の開口部に設けられる上枠、下枠及び左右の縦枠からなる枠体と、該枠体内に左右方向に開閉移動自在に設けられた障子とを備え、前記障子は上框、下框及び左右の縦框を有し、前記下框には下枠上のレールに摺接する気密材が長手方向に設けられ、前記縦框の下部には前記レールに対応した振れ止め部材が設けられ、該振れ止め部材に前記レールの上部に摺接する毛状気密材を前記下框の気密材と長手方向に連なるように設けたことを特徴とする建具。
【発明の詳細な説明】
【０００１】
【発明の属する技術分野】
本発明は、障子の縦框下部と下枠上のレールとの間における気密性能の向上等を図った建具に関する。
【０００２】
【従来の技術】
例えば引違いサッシ等の建具においては、下枠及び左右の縦枠からなる枠体と、該枠体内に左右方向に開閉移動自在に設けられた障子とを備えており、その障子は上框、下框及び左右の縦框を有している。前記下框には下枠上のレール上を走行する戸車が取付けられていると共に、レールと下框との間の気密や水密の性能を出すためにレールの側面に摺接（接触）する軟質樹脂やゴム製のヒレ状の気密材が長手方向に設けられている。
【０００３】
また、図６に示すように前記縦框５ｄの下部には、前記下枠２ｂ上のレール７ａに対応したプラスチック製の振れ止め部材１２が取付けられている。この振れ止め部材１２は、ホロー（中空）構造の縦框５ｄの下部に嵌合装着されている。振れ止め部材１２は、レール７ａに対応した断面逆Ｕ字状の溝部１３を有しており、この溝部１３をレール７ａに緩く係合させた状態とすることにより風圧等で障子３ａの下部が室内外方向に振れるのを抑制している。前記振れ止め部材１２には、レール３ａとの間の気密や水密の性能を出すためにレール３ａの側面にメタルタッチで摺接する突条部１４が形成されている。
【０００４】
しかしながら、前記建具においては、縦框５ｄの下部における振れ止め部材１２の突条部１４をレール７ａにメタルタッチで摺接させているに過ぎないため、環境の悪条件等により突条部１４とレール７ａとの間に微細な隙間が発生して気密性能が低下し易く、その隙間から室外の塵や埃が室内側に入り込む恐れがあった。また、室内側に入り込んだ塵や埃がレール上に溜まり、これらをレールと戸車との間で噛み込むと、レールや戸車が摩耗し、耐久性が低下する恐れがあった。なお、レールや下枠上面に溜まるごみを清掃するために縦框の下部に清掃ブラシを取付けた建具が種々提案されている（例えば、実公昭６２−１２０７５号公報等参照）。
【０００５】
【特許文献１】
実公昭６２−１２０７５号公報
【０００６】
【発明が解決しようとする課題】
しかしながら、従来の建具においては、縦框の下部とレールとの間の気密性能を更に向上させるための根本的な対策がなされていなかった。このため、前述したように室外の塵や埃が室内に入り込み、レールや戸車の耐久性の低下を招くなどの問題があった。
【０００７】
本発明は、前記事情を考慮してなされたもので、障子の縦框下部と下枠上のレールとの間における気密性能の向上が図れると共にレールや戸車の耐久性の向上が図れる建具を提供することを目的とする。
【０００８】
【課題を解決するための手段】
本発明は、建物の開口部に設けられる上枠、下枠及び左右の縦枠からなる枠体と、該枠体内に左右方向に開閉移動自在に設けられた障子とを備え、前記障子は上框、下框及び左右の縦框を有し、前記下框には下枠上のレールに摺接する気密材が長手方向に設けられ、前記縦框の下部には前記レールに対応した振れ止め部材が設けられ、該振れ止め部材に前記レールの上部に摺接する毛状気密材を前記下框の気密材と長手方向に連なるように設けたことを特徴とする。
【０００９】
【発明の実施の形態】
以下に、本発明の実施の形態を添付図面に基いて詳述する。図１は本発明を引違いサッシに適用した実施の形態を示す室内側正面図、図２は同要部拡大断面図、図３は図１のＡ−Ａ線概略的拡大断面図、図４は図１のＢ−Ｂ線概略的拡大断面図、図５は要部分解斜視図である。なお、図４では、障子の下部の気密構造を説明するために概略的に示している。
【００１０】
図１〜図５に示すように、建具として例示した引違いサッシ１は、建物の開口部に設けられる上枠２ａ、下枠２ｂ及び左右の縦枠２ｃ，２ｄからなる枠体２と、該枠体２内に左右方向に引違い状にスライド開閉自在に設けられた内外の障子３，４とを備えている。また、前記枠体２の室外側には網戸１８が左右方向にスライド自在に取付けられている。前記障子３，４は、上框５ａ、下框５ｂ及び左右の縦框（戸先框，召し合せ框）５ｃ，５ｄを有しており、これら框材を框組してなる框体５内に面材例えばガラスプレート６が装着されている。前記枠体２を構成する枠材、框体５を構成する框材は、例えばアルミ形材からなっているが、アルミ製の室外側形材と室内側形材とを合成樹脂製のブリッジ材で結合した断熱構造になっていても良く、或いは、アルミ製の室外形材と合成樹脂製の室内側形材とを結合した複合断熱構造になっていても良い。
【００１１】
前記障子３，４を案内するために、下枠２ｂの上面には突状の内外のレール７ａ、７ｂが形成され、上枠２ａの下面にも突状の内外のレール８ａ，８ｂが形成されている。前記下框５ｂには、レール７ａ，７ｂ上を走行する戸車１０が取付けられている。また、下框５ｂにはレール７ａ，７ｂの側面に摺接して機密性能を出すための軟質樹脂ないしゴム製のヒレ状の気密材１１が長手方向に取付けられている。なお、上框５ｂにもレール８ａ，８ｂの側面に摺接して機密性能を出すための軟質樹脂ないしゴム製のヒレ状の気密材（図示省略）が長手方向に取付けられている。
【００１２】
前記框体５は、縦框２ｃ，２ｄの上端部と下端部が露出するように縦通しに組まれている。少なくとも縦框２ｃ，２ｄはホロー構造とされており、縦框２ｃ，２ｄの上端部と下端部にはレール７ａ，７ｂに対応したプラスチック製の振れ止め部材１２が嵌合装着されている。なお、上部の振れ止め部材は図示省略し、下部の振れ止め部材１２のみを図示する。また、下部の振れ止め部材１２は、内障子側と外障子側、戸先框側と召し合せ框側の断面形状に合せてそれぞれ形成されている。
【００１３】
下部の振れ止め部材１２は、レール７ａ．７ｂに対応した断面逆Ｕ字状の溝部１３を有しており、この溝部１３をレール７ａ，７ｂに緩く係合させた状態とすることにより風圧等で障子３，４の下部が室内外方向に振れるのを抑制している。前記振れ止め部材１２には、レール７ａ，７ｂとの間の気密や水密の性能を出すためにレール７ａ，７ｂの側面にメタルタッチで摺接する突条部１４が形成されている。また、下部の振れ止め部材１２には、レール７ａ，７ｂの上部（レール頭）７ｈに摺接する毛状気密材（モヘアともいう）１５が前記下框５ｂの気密材１１と長手方向に連なるように設けられている（図４の内障子を参照）。
【００１４】
この毛状気密材１５は、図５にも示すように合成樹脂製の細長い薄板状の基板１６に対して横断面がＴ字状になるように、基板１６の下面の幅方向中央部にその長手方向に沿って多数本の毛１７を密集状態で植毛してなる。毛１７は、例えば細い合成繊維からなる。毛状気密材１５は、細い毛が密集して刷毛状に設けられているため、塵や埃の侵入を抑制ないし防止することができ、気密性能の向上が図れる。毛状気密材１５としては、図４に示すように網戸１８に取付けられた毛状気密材１９と同じものを利用することが可能である。
【００１５】
前記下部の振れ止め部材１２は、縦框５ｃ、５ｄの下部（下端部）の中空内部に嵌挿される嵌挿部２０と、縦框５ｃ、５ｄの下端縁部に当接される縁部２１とを有している。前記嵌挿部２０の端壁部には係止突部２２が設けられ、縦框５ｃ、５ｄには縦框５ｃ、５ｄの下端部に嵌挿部２０を嵌挿した時に係止突部２２が係合する係止穴部２３が設けられている。縦框５ｃ、５ｄの下端部には振れ止め部材１２の溝部１３を露出させるための該溝部１３よりも若干大きめの切欠部２４が形成されている。振れ止め部材１２の嵌挿部２０における溝部１３の直上には横断面Ｔ字状の取付溝２５が長手方向に形成されており、この取付溝２５内に毛状気密材１５の基部である基板１６部分が長手方向の一端から挿入されて長手方向に着脱自在に取付けられている。振れ止め部材１２の嵌挿部２０を縦框５ｃ、５ｄの下端部に嵌挿したとき、前記取付溝２５の長手方向両端部が縦框５ｃ、５ｄの切欠部２４の縁部分で塞がれ、毛状気密材１５が取付溝２５の一端から脱落しないようになっている。
【００１６】
以上の構成からなる建具（引違いサッシ）１によれば、建物の開口部に設けられる上枠２ａ、下枠２ｂ及び左右の縦枠２ｃ，２ｄからなる枠体２と、該枠体２内に左右方向に開閉移動自在に設けられた障子３，４とを備え、前記障子３，４は上框５ａ、下框５ｂ及び左右の縦框５ｃ，５ｄを有し、前記下框５ｂには下枠２ｂ上のレール７ａ，７ｂに摺接する気密材１１が長手方向に設けられ、前記縦框５ｃ，５ｄの下部には前記レール７ａ，７ｂに対応した振れ止め部材１２が設けられ、該振れ止め部材１２に前記レール７ａ，７ｂの上部７ｈに摺接する毛状気密材１５を前記下框５ｂの気密材１１と長手方向に連なるように設けているため、環境の悪条件により突条部１４とレール７ａ，７ｂとの間に微細な隙間が発生したとしても障子３，４の縦框５ｃ，５ｄ下部と下枠２ｂ上のレール７ａ，７ｂとの間における気密性能の向上が図れ、塵や埃等が室外側から室内側に侵入するのを抑制ないし防止することができる。しかも、前記毛状気密材１５がレールの７ａ，７ｂ上部（レール頭）７ｈに摺接してるため、障子３，４の開閉の度にレール７ａ，７ｂの上部７ｈを清掃して常に奇麗な状態にしておくことができ、レール７ａ，７ｂや戸車１０の摩耗が抑制されてこれらの耐久性の向上が図れる。従って、塵、埃や火山灰の多い地域では特に効果を発揮することができる。
【００１７】
また、前記毛状気密材１５は、振れ止め部材１２の溝部１３の上部に形成した取付溝２５にその一端からスライドさせて着脱可能に取付けられ、その取付溝２５の端部は縦框５ｃ，５ｄの切欠部２４の縁部分で塞がれているので、通常時には毛状気密材１５が勝手に外れることがなく、しかも、縦框５ｃ，５ｄから振れ止め部材１２を取外すことにより毛状気密材１５を容易に脱着することができるので、毛状気密材１５の交換等のメンテナンスが容易にできる。
【００１８】
振れ止め部材１２には取付溝２５だけ設けておき、塵や埃ないしは火山灰の少ない地域では、振れ止め部材１２の突条部１４だけである程度の気密性能が得られるので、取付溝２５には予め毛状気密材１５を取付けておかず、塵や埃、火山灰の多い地域での特別対応ないしオプションとして取付溝２５に毛状気密材１５を取付けるようにしても良い。毛状気密材１５は網戸１８の気密材１９としても使用されていて入手が容易であるため、前記取付溝２５に毛状気密材１５を取付けることにより建具を容易に機能アップすることができる。
【００１９】
以上、本発明の実施の形態を図面により詳述してきたが、本発明は前記実施の形態に限定されるものではなく、本発明の要旨を逸脱しない範囲での種々の設計変更等が可能である。例えば、前記実施の形態では本発明を内外２枚の障子を引違い状に有する引違いサッシに適用した場合が示されているが、本発明は引違いサッシや引違い戸に限定されず、障子が１枚建ての片引き戸や、障子が４枚建ての建具等にも適用可能である。
【００２０】
【発明の効果】
以上説明したように本発明によれば、建物の開口部に設けられる上枠、下枠及び左右の縦枠からなる枠体と、該枠体内に左右方向に開閉移動自在に設けられた障子とを備え、前記障子は上框、下框及び左右の縦框を有し、前記下框には下枠上のレールに摺接する気密材が長手方向に設けられ、前記縦框の下部には前記レールに対応した振れ止め部材が設けられ、該振れ止め部材に前記レールの上部に摺接する毛状気密材を前記下框の気密材と長手方向に連なるように設けているため、障子の縦框下部と下枠上のレールとの間における気密性能の向上が図れると共にレールや戸車の耐久性の向上が図れる。
【図面の簡単な説明】
【図１】本発明を引違いサッシに適用した実施の形態を示す室内側正面図である。
【図２】同要部拡大断面図である。
【図３】図１のＡ−Ａ線概略的拡大断面図である。
【図４】図１のＢ−Ｂ線概略的拡大断面図である。
【図５】要部分解斜視図である。
【図６】従来技術の一例を説明する概略的断面図である。
【符号の説明】
１  建具
２  枠体
２ａ  上枠
２ｂ  下枠
２ｃ、２ｄ  縦枠
３，４  障子
５ａ  上框
５ｂ  下框
５ｃ、５ｄ  縦框
７ａ，７ｂ  レール
１１  気密材
１２  振れ止め部材
１５  毛状気密材
【図１】
2004257136.tif 000003
【図２】
2004257136.tif 000004
【図３】
2004257136.tif 000005
【図４】
2004257136.tif 000006
【図５】
2004257136.tif 000007
【図６】
2004257136.tif 000008